(57)【要約】【課題】面照明パネル及びこれを備える電源内蔵面照明装置を提供する。【解決手段】本発明は、従来技術とは異なり、電源モジュールとLEDモジュールをガイドフレームの内側に備えた状態で、面照明パネル側に光を照射して放出することで、面照明装置の体積（高さ）を減らすことができる。さらに、ガイドフレーム同士を、接続コーナーフレームを介して、電源モジュールとLEDモジュールとを電気的に接続するケーブルを埋め立てたまま案内するので、ケーブルの配置が容易ながら、商品性を増大させることができ、コーナーフレームを介して積層されている面照明パネルを完全に重ね状態を維持することができる。また、面照明パネルの後側を不透明なバックカバーで構成することにより、全側光が最大に放出されるように誘導することができる。【選択図】図３
2017076598.tif 000002
【特許請求の範囲】
【請求項１】
光を枠でイプサ受け天体の面にわたって光を放出する導光シートと、
前記導光シートの後側に配置されて、光を全側反射させる反射シートと、
前記導光シートの前側に配置されて前記導光シートから入射される光を拡散して均一に放出させる拡散シートと、
前記反射シートの後側に配置されて光が前記導光シートの前側面に焦点を当て放出されるように不透明材料からなるバックカバーと、を含む
ことを特徴とする面照明パネル。
【請求項２】
前記導光シートは、前記拡散シートと前記反射シートと接する両側面にエンボス石を形成することを特徴とする請求項１に記載の面照明パネル。
【請求項３】
前記導光シートは、内側を通過しながら前側全体に放出される光のうち、特定の部位での照度（照度）が明るくまたはより暗く処理されるように後側にパターン形成部を備えて、文字、画像、模様、及びパターンのうちの少なくともいずれか一つを表現する
ことを特徴とする請求項１に記載の面照明パネル。
【請求項４】
枠側から入射される光を全側均等放出誘導する面照明パネルと、
前記面照明パネルの端の一部を収容して支持するように、前記面照明パネルの端軌道に沿って複数の利用されているガイドフレームと、
複数のガイドフレームの内側に装着され、前記面照明パネル側に光を照射して光にLED素子を有するLEDモジュールと、
複数のガイドフレームの内側に装着され、前記LEDモジュールに電源を供給する電源モジュールと、
前記ガイドフレームから前記LEDモジュールまたは前記電源モジュールを保護し、絶縁が可能なように、前記LEDモジュールまたは前記電源モジュールを挿入したまま、そのガイドフレームに装着される絶縁ガイド部材と、を含む
ことを特徴とする電源内蔵式の面照明装置。
【請求項５】
前記面照明パネルは、
光を枠で入社受け、全体の面にわたって光を放出する導光シートと、
前記導光シートの後側に配置されて、光を全側反射させる反射シートと、
前記導光シートの前側に配置されて前記導光シートから入射される光を拡散して均一に放出させる拡散シートと、
前記反射シートの後側に配置されて光が前記導光シートの前側面に焦点を当て放出されるように不透明材料からなるバックカバーと、を含む
ことを特徴とする請求項４に記載の電源内蔵式の面照明装置。
【請求項６】
前記ガイドフレームは、
本体と、
前記本体の内側に、前記LEDモジュール、前記絶縁ガイド部材又は前記電源モジュールをスライド挿入可能なように形成され、前記面照明パネル側に開放されている挿入空間部と、
前記面照明パネルの端を収容するために収容溝部を形成し、前記面照明パネルの上側と下側を接して支持するように前記本体から並んで延長されているサポートリブと、
前記サポートリブに突出して、前記面照明パネルを加圧することにより、流動防止するプッシュストッパーと、を含む
ことを特徴とする請求項４又は請求項５に記載の電源内蔵型面照明装置。
【発明の詳細な説明】
【技術分野】
【０００１】
本発明は、面照明装置に関するものであって、さらに詳細には、面照明装置の体積（高さ）を減らすことができ、コーナーフレームにケーブルを埋め立てたまま処理することにより、ケーブルの配置が容易ながらも、商品性を向上せることができ、コーナーフレームにより、積層される面照明パネルを完全に重ねた状態を維持する面照明装置に関するものである。また、面照明パネルの後側を不透明なバックカバーで構成することにより、全側光が最大に放出されるように誘導するための面照明パネルと、これを備えた電源内蔵式の面照明装置に関するものである。
【背景技術】
【０００２】
LED（Light Emitting Diode：発光ダイオード）は、AC/DC電源を利用して点灯されている一般的な白熱電球やネオンや蛍光灯などと比較すると 消費電力が少なく、二酸化炭素の排出を減らすことができ、熱の発生が少なく、夏季の照明に適しており、様々な色の実装ができ寿命が長く、交換の費用などを減らすことができる経済性と環境性能とを併せ持つことから、既存の電球型照明灯に代替される新しい照明として、その適用が活性化される傾向にある。
【０００３】
特に、LED照明は消費電力が5W未満であるため、電気使用料を80％以上削減することができ、寿命は半永久的であるため、利用価値が非常に大きい。
【０００４】
LED照明については、韓国特許第10-0997842号公報（発明の名称：LED照明  登録日：2010.11.25）に提案されたものがある。
【０００５】
また、導光板の端に結合されているフレームの内側にコントロールボックスとLEDモジュールを実装した構成については、韓国特許第10-1209669号（発明の名称：無線リモコンを利用したカラー制御が可能な広告ボード及びその制御方法）に提案されている。
【０００６】
上記した技術に係る構成は、本発明の理解を助けるための背景技術として、本発明が属する技術分野で広く知られている従来技術を意味するものではない。
【先行技術文献】
【特許文献】
【０００７】
【特許文献１】韓国特許第１０−０９９７８４２号公報
【特許文献２】韓国特許第１０−１２０９６６９号公報
【発明の概要】
【発明が解決しようとする課題】
【０００８】
特許文献１の技術では、LED素子を実装したプリント回路基板が照明本体に組み込まれることによって、LED照明灯の体積（高さ）が増加し、設置スペースが拡大され、LED素子のメンテナンスが難しいといった問題点がある。
【０００９】
そして、特許文献２の技術では、 広告ボードに関する発明であるバー、LED照明の技術分野には属しないと見ることができ、コントロールボックスとLEDモジュールがフレームに収納されている構造が明確に提示されておらず、当業者のレベルで実施することが困難であるとの問題がある。併せて、プリント回路基板に実装されたLEDモジュールを直接フレームに収納するとき、実装部位が破損したり、またはフレームに接触したりすることで誤作動の原因となるといった問題がある。
【００１０】
したがって、これらを改善する必要性がある。
【００１１】
本発明は、上記課題を解決するためのもので、電源モジュールとLEDモジュールとをガイドフレームに内蔵した状態で面照明パネルに光を照射することを可能とし、面照明装置の体積（高さ）を削減した、面照明パネル及びこれを備えた電源内蔵式の面照明装置を提供することを目的とする。
【００１２】
そして、本発明は、隣接するガイドフレームを接続するコーナーフレームを介して電源モジュールとLEDモジュールとを電気的に接続するケーブルを埋め込むことで、ケーブルの配置を容易にし、ケーブルの露出を防止し、商品性を高めた面照明パネル及びこれを備えた電源内蔵式の面照明装置を提供することを他の目的とする。
【００１３】
さらに、本発明は、コーナーフレームの内側の構造の変更により、積層される面照明パネルを完全に重ねた状態を維持するための面照明パネルと、これを具備した電源内蔵式の面照明装置を提供することを他の目的とする。
【００１４】
また、本発明は、面照明パネルの後側を不透明なバックカバーで構成することで、全側の光が最大に放出されるように誘導することを可能とした面照明パネル及びこれを備えた電源内蔵式の面照明装置を提供することを他の目的とする。
【００１５】
そして、本発明は、面照明装置の耐久性を向上させるためのガイドフレームを金属製として、ガイドフレームに挿入される通電性のLEDモジュールまたは電源モジュールを絶縁ガイド部材に挿入した後、絶縁ガイド部材をガイドフレームに挿入することで、LEDモジュールまたは電源モジュールからガイドフレームに電流が流れることを防止した面照明パネル及びこれを備えた電源内蔵式の面照明装置を提供することを他の目的とする。
【課題を解決するための手段】
【００１６】
本発明の一態様に係る面照明パネルは、光を枠で受け全体の面にわたって光を放出する導光シートと、前記導光シートの後側に配置されて光を全側反射させる反射シートと、前記導光シートの前側に配置されて前記導光シートから入射される光を拡散して均一に放出させる拡散シートと、前記反射シートの後側に配置されて光が前記導光シートの前側面に焦点を当て放出されるように不透明材料からなるバックカバーとを含んでいる。
【００１７】
前記導光シートでは、前記拡散シートと前記反射シートとが接する両側面にエンボス部を形成することができる。
【００１８】
前記導光シートでは、内側を通過しながら前側全体に放出される光のうち、特定の部位での照度（照度）がより明るく、またはより暗く処理されるように、その後側にパターン形成部を備え、該パターン形成部により、文字、画像、模様やパターンのうち少なくともいずれか一つを表現することができる。
【００１９】
また、本発明の他の態様に係る電源内蔵式の面照明装置は、枠側から入射される光を全側均等放出誘導する面照明パネルと、面照明パネルの端の一部を収容して支持するように面照明パネルの端軌道に沿って複数の利用されているガイドフレームと、複数のガイドフレームの内側に装着され、面照明パネル側に光を照射して光にLED素子を有するLEDモジュールと、複数のガイドフレームの内側に装着され、LEDモジュールに電源を供給する電源モジュールと、前記ガイドフレームから前記LEDモジュールまたは電源モジュールを保護し、絶縁が可能なように、LEDモジュールまたは電源モジュールを挿入した状態でそのガイドフレームに装着される絶縁ガイド部材と、を含んでいる。
【００２０】
前記面照明パネルは、光を枠でイプサ受け天体の面にわたって光を放出する導光シートと、発光シートの後側に配置されて、光を全側反射させる反射シートと、導光シートの前側に配置されて前記導光シートから入射される光を拡散して均一に放出させる拡散シートと、反射シートの後側に配置されて光が前記導光シートの前側面に焦点を当て放出されるように不透明材料からなるバックカバーと、を含んでいる。
【００２１】
前記ガイドフレームは、本体と、本体の内側に、上記LEDモジュールと、絶縁ガイド部材、又は電源モジュールをスライド挿入可能なように形成され、面照明パネル側に開放されている挿入空間部と、面照明パネルの端を収容するために収容溝部を形成し、面照明パネルの上側と下側を接して支持するように上記本体から並んで延長されているサポートリブと、サポートリブに突出して、面照明パネルを加圧することにより、流動防止するプッシュストッパーと、を含んでいる。
【００２２】
前記ガイドフレームには、収容溝部とは別に区画されて、外部電源と電源モジュールを接続する電源ケーブルを収容してソートするソートホーム部を形成することができる。
【００２３】
前記ガイドフレームは、配置溝部に配置された前記電源ケーブルの揺れを防止し、又は低減させるためのガイドリブを備えることができる。
【００２４】
前記ガイドフレームは、平面上の多角形の軌跡に配置され、隣接するガイドフレームはコーナーフレームによって接続されており、コーナーフレームは隣接するガイドフレームを組み立てて固定し、LEDモジュールと電源モジュールを電気的に接続する通電ケーブルを非曝露されるように並べ替える案内することができる。
【００２５】
コーナーフレームは、一つ以上が積層されるように構成された面照明パネルの各頂点に対応するように配置され、面照明パネルを位置整列するために整列コーナー部材を備えることができる。
【発明の効果】
【００２６】
以上で説明したように、本発明に係る面照明パネルと、これを具備する電源内蔵式の面照明装置によれば、従来技術とは異なり、電源モジュールとLEDモジュールとをガイドフレームに内蔵した状態で面照明パネル側に光を照射して放出することが可能となり、面照明装置の体積を減らすことができる。
【００２７】
そして、本発明によれば、隣接するガイドフレームを接続するコーナーフレームを介して、電源モジュールとLEDモジュールを電気的に接続するケーブルを埋め立てたまま案内することにより、ケーブルの配置を容易なものとし、ケーブルの露出を防ぐことで、商品性を高めることとができる。
【００２８】
さらに、本発明によれば、コーナーフレームの内側の構造の変更により、積層される面照明パネルを完全に重ねた状態を維持することができる。
【００２９】
また、本発明によれば、面照明パネルの後側を不透明なバックカバーで構成することで全側光が最大に放出されるように誘導することができる。
【００３０】
そして、本発明によれば、面照明装置の耐久性を向上させるためのガイドフレームを金属製に適用して、ガイドフレームに挿入される通電性のLEDモジュールまたは電源モジュールを絶縁ガイド部材に挿入した後、絶縁ガイド部材をガイドフレームに挿入することにより、LEDモジュールまたは電源モジュールからガイドフレームに電流が流れることを防止することができる。
【図面の簡単な説明】
【００３１】
【図１】本発明の一実施形態に係る面照明パネルを備える電源内蔵式の面照明装置の斜視図である。
【図２】本発明の一実施形態に係る面照明パネルを備える電源内蔵式の面照明装置の背面斜視図である。
【図３】本発明の一実施形態に係る電源内蔵式の面照明装置の分解斜視図である。
【図４】本発明の一実施形態に係る電源内蔵式の面照明装置の背面分解斜視図である。
【図５】本発明の一実施形態に係る面照明パネルの展開図である。
【図６】本発明の一実施形態に係る面照明パネルの導光シートの底面斜視図である。
【図７】本発明の一実施形態に係る面照明パネルの積層状態を示す拡大断面図である。
【図８】図１のＡ−Ａ線断面図である。
【図９】図１のＢ−Ｂ線断面図である。
【図１０】本発明の一実施形態に係る電源内蔵式の面照明装置の評価断面図である。
【図１１】本発明の他の実施形態に係る電源内蔵式の面照明装置の要部拡大断面図である。
【図１２】本発明の他の実施形態に係る面照明パネルの照明状態を示す正面図である。
【発明を実施するための形態】
【００３２】
以下、添付された図面を参照して、本発明に係る面照明パネルと、これを具備した電源内蔵式の面照明装置の実施形態を説明する。図面に示された線の太さや構成要素の大きさなどは、説明の明瞭性と便宜上、誇張して図示されている。また、後述される用語は、本発明の機能を考慮して、定義された当業者であるユーザー、運用者の意図または慣例によって変えることができる。したがって、これらの用語の定義は、本明細書の全般にわたった内容を基になされるべきである。
【００３３】
図１は、本発明の一実施形態に係る面照明パネルを備えた電源内蔵式の面照明装置の斜視図であり、図２は、本発明の一実施形態に係る面照明パネルを備えた電源内蔵式の面照明装置の背面斜視図である。
【００３４】
図３は、本発明の一実施形態に係る電源内蔵式の面照明装置の分解斜視図であり、図４は、本発明の一実施形態に係る電源内蔵式の面照明装置の背面分解斜視図である。
【００３５】
図５は、本発明の一実施形態に係る面照明パネルの展開図であり、図６は、本発明の一実施形態に係る面照明パネルの拡散板の底面斜視図であり、図７は、本発明の一実施形態に係る面照明パネルの積層状態を示す拡大断面図である。
【００３６】
図８は、図１のＡ−Ａ線断面図であり、図９は図１のＢ−Ｂ線断面図であり、図１０は、本発明の一実施形態に係る電源内蔵式の面照明装置の詳細な断面図である。
【００３７】
図１〜図１０を参照すると、本発明の一実施形態に係る電源内蔵式の面照明装置（100）は、面照明パネル（200）、ガイドフレーム（300）、LEDモジュール（400）、電源モジュール（500）、及び絶縁ガイド部材（600）を含んでいる。
【００３８】
面照明パネル（200）は、枠側から入射される光を全側均等に放出誘導する役割を担っている。
【００３９】
そして、ガイドフレーム（300）は、面照明パネル（200）の端の一部を収容して包み込み、面照明パネル（200）の端を保護し、それらを支持する役割を担っている。特に、ガイドフレーム（300）は、面照明パネル（200）の端軌道に沿って複数個備えられている。
【００４０】
このとき、ガイドフレーム（300）は、平面上の円形または多角形の軌跡に沿って配置されることがあるが、説明の便宜上、ここでは、正方形軌跡に沿って配置されているものとする。
【００４１】
さらに、ガイドフレーム（300）は、面照明パネル（200）の枠全体の長さに応じて適用できるように、複数本備えられている。
【００４２】
また、LEDモジュール（400）は、複数のガイドフレーム（300）のいずれかが上のガイドフレーム（300）の内側に装着された状態で面照明パネル（200）の枠側に光を照射して一側に放出するようにすることで、照明する役割を担っている。
【００４３】
このとき、LEDモジュール（400）は、外部から電源の供給を受け、光を放つ複数のLED素子（420）、および設定された個数のLED素子（420）を実装する照明印刷回路基板（410）を含んでいる。
【００４４】
LED素子（420）は、照明プリント回路基板（410）に実装され、照明プリント回路基板（410）から供給された電力を受けて発光する。照明プリント回路基板（410）は、多様な形状に変形可能であることは勿論である。
【００４５】
そして、電源モジュール（500）は、LED素子（420）が実装されていれていない、複数のガイドフレーム（300）の内側に装着されてLEDモジュール（400）に電源を供給する役割を担っている。
【００４６】
特に、電源モジュール（500）は、電源素子（520）と電源プリント回路基板（510）を含んでいる。
【００４７】
電源素子（520）は、電源プリント回路基板（510）に実装され、電源プリント回路基板（510）を介して外部からの電源の電力の供給を受け、装置は該電力により充電される。この電源素子（520）は、LEDモジュール（400）の照明プリント回路基板（410）に電力を供給する。
【００４８】
すなわち、電源モジュール（500）の電源プリント回路基板（510）は、外部から電源の供給を受けるための電源ケーブル（10）に接続され、LEDモジュール（400）の照明プリント回路基板（410）は、電源プリント回路基板（510）から電源の供給を受けるための通電ケーブル（20）を介して電源プリント回路基板（510）に接続される。
【００４９】
一方、ガイドフレーム（300）は、LED素子（420）または電源素子（520）で発生する熱による変形が発生するのを防止するために、耐久性と強度を向上させることが可能な金属材質で製作されている。
【００５０】
そして、LED素子（420）は、照明プリント回路基板（410）に半田付けで実装され、電源素子（520）は、電源プリント回路基板（510）に半田付けで実装されている。
【００５１】
さらに、LEDモジュール（400）と電源モジュール（500）は、同一のガイドフレーム（300）または他のガイドフレーム（300）にスライド挿入されて装着される。ここでは、説明の便宜上、LEDモジュール（400）と電源モジュール（500）は、他のガイドフレーム（300）に挿入されるものとする。
【００５２】
特に、ガイドフレーム（300）は、複数本備えられており、LEDモジュール（400）をスライド挿入する照明ガイドフレーム（302）と電源モジュール（500）をスライド挿入する電源ガイドフレーム（304）を含んでいる。
【００５３】
したがって、LED素子（420）と、照明プリント回路基板（410）の半田付け部位が照明ガイドフレーム（302）の内側に接触することができる。この場合、半田付け部位が照明ガイドフレーム（302）に接することで、照明ガイドフレーム（302）に電流が流れ、感電事故を誘発したり、半田付け部位が破損したりすることがある。
【００５４】
これを防止するために、本実施形態に係る装置では、LEDモジュール（400）は、絶縁ガイド部材（600）に挿入され、絶縁ガイド部材（600）は、照明ガイドフレーム（302）にスライドを挿入されてよい。特に、絶縁ガイド部材（600）が、照明ガイドフレーム（302）に抑止挿入されることにで、絶縁ガイド部材（600）とLEDモジュール（400）とは、照明ガイドフレーム（302）の内部に位置固定される。このとき、絶縁ガイド部材（600）には、LEDモジュール（400）のLED素子（420）に対応するようにホールを設けてよい。
【００５５】
同様に、電源プリント回路基板（510）と電源素子（520）の半田付け部位は電源ガイドフレーム（304）の内側に接触することができる。この場合、半田付け部位が電源ガイドフレーム（304）に接することで、電源ガイドフレーム（304）に電流が流れ、感電事故を誘発したり、はんだ付け部位が破損したりすることがある。
【００５６】
これを防止するために、本実施形態に係る装置では、電源モジュール（500）は、絶縁ガイド部材（600）に挿入され、絶縁ガイド部材（600）は、電源ガイドフレーム（304）にスライド挿入されてよい。特に、絶縁ガイド部材（600）が電源ガイドフレーム（304）に抑止挿入されることで、絶縁ガイド部材（600）と電源モジュール（500）とは、電源ガイドフレーム（304）の内部に位置固定される。
【００５７】
このとき、絶縁ガイド部材（600）は、絶縁材料のチューブ形状などは多様に適用可能であるが、照明ガイドフレーム（302）または電源ガイドフレーム（304）の内側にて変形され、抑止挿入することができるプラスチック材料を用いることができる。
【００５８】
つまり、絶縁ガイド部材（600）は、照明ガイドフレーム（302）または電源ガイドフレーム（304）から、LEDモジュール（400）または電源モジュール（500）を挿入して保護し、絶縁が可能なようにLEDモジュール（400）または電源モジュール（500）を挿入した状態で、照明ガイドフレーム（302）または電源ガイドフレーム（304）に装着される。
【００５９】
ここでは、説明の便宜上、絶縁ガイド部材（600）は、電源モジュール（500）を挿入した後、電源ガイドフレーム（304）に挿入されるものとする。
【００６０】
一方、ガイドフレーム（300）は、平面上の正方形の軌跡に配置され、図１及び図３で示されるように、面照明装置（100）の上側、下側と左側端には、電源のガイドフレーム（304）が配置され、右側の端には、照明ガイドフレーム（302）が配置される。
【００６１】
特に、隣接する照明ガイドフレーム（302）と電源ガイドフレーム（304）、および電源ガイドフレーム（304）同士が、コーナーフレーム（370）によって接続される。
【００６２】
コーナーフレーム（370）は、隣接したガイドフレームの（302,304）を組み立てて固定し、隣接したガイドフレーム（302,304）を容易に分離することができるように備えられている。そして、コーナーフレーム（370）は、LEDモジュール（400）と電源モジュール（500）を電気的に接続する通電ケーブル（20）を外部から見えないように、その配置を案内する役割を担っている。
【００６３】
このとき、コーナーフレーム（370）は、ボディ（372）、第１レッグ（374）及び第２レッグ（376）を含んでいる。
【００６４】
ボディ（372）は、隣接した照明ガイドフレーム（302）と電源ガイドフレーム（304）、電源ガイドフレーム（304）同士の接続部位であるコーナーに位置するように仕上げられている。ボディ（372）は、多様な形状に変形可能であることは勿論である。
【００６５】
そして、第１レッグ（374）は、本体（310）に延長され、照明ガイドフレーム（302）と電源ガイドフレーム（304）のそれぞれに挿入される。つまり、第１レッグ（374）は、ガイドフレーム（300）の縦側を構成する照明ガイドフレーム（302）と電源ガイドフレーム（304）のそれぞれに挿入される。これにより、照明ガイドフレーム（302）にスライド挿入されたLEDモジュール（400）、および電源ガイドフレーム（304）にスライド挿入された電源モジュール（500）は、離脱が防止される。第１レッグ（374）は、多様な形状に変形可能であることは勿論である。
【００６６】
さらに、第２レッグ（376）は、本体（310）から延長されて、電源ガイドフレーム（304）のそれぞれに挿入される。つまり、第２レッグ（376）は、ガイドフレーム（300）の横側を構成する電源ガイドフレーム（304）のそれぞれに挿入される。これにより、電源ガイドフレーム（304）にスライド挿入された電源モジュール（500）は、離脱が防止される。第２レッグ（376）は、多様な形状に変形可能であることは勿論である。
【００６７】
特に、コーナーフレーム（370）は、照明ガイドフレーム（302）と電源ガイドフレーム（304）に挿入される程度を制限して、一定以上の挿入されないように形成することができる。
【００６８】
コーナーフレーム（370）は、多様な形状に変形可能であることは勿論である。
【００６９】
一方、面照明パネル（200）は、LEDモジュール（400）からの境界線側に入射される光を全側全体に均等に放出誘導するものであって、拡散シート（210）、導光シート（220）、反射シート（ 230）、及びバックカバー（240）を含んでいる。
【００７０】
特に、拡散シート（210）、導光シート（220）、反射シート（230）、及びバックカバー（240）が前側から後側に向かって順に積層されている。拡散シート（210）、導光シート（220）、反射シート（230）とバックカバー（240）は、それぞれ必要に応じて、層（layer）以上積層することができることは勿論である。ここでは、説明の便宜上、拡散シート（210）、導光シート（220）、反射シート（230）、及びバックカバー（240）は、一つずつ備えられるものとする。
【００７１】
このとき、導光シート（220）は、LED素子（420）から照射される光を枠側から入射受け、全体の面にわたって光を放出誘導する役割をする。
【００７２】
拡散シート（210）は、LEDモジュール（400）のLED素子（420）から発散された光を内部で散乱や拡散させる機能を遂行することになるが、LEDは一点からの光を生成する点光源であるため、LEDをそのまま光源として使用する場合には、光源の露出やグレア現象が発生することができるため、これを防止するために、拡散シート（210）が設けられている。
【００７３】
ここで、拡散シート（210）は、ポリスチレン（polystyrene、PS）またはポリカーボネート（polycarbonate、PC）を押出成形して製作されることがあるが、拡散シート（210）の内部には、異なる屈折率を有する気泡または拡散剤（図示せず）が分布され、気泡または拡散剤は、拡散シート（210）に入射された光を屈折と反射させる。
【００７４】
特に、拡散シート（210）の内部に気泡や拡散剤（図示せず）が十分な場合には、拡散シート（210）の枠で入射された光が拡散シート（210）の前側外部に放出される、光の強さが均一になり、発散角が大きくなる。
【００７５】
そして、反射シート（230）は、導光シート（220）の後側に配置されて、光を全側反射させる役割をする。つまり、LED素子（420）から照射される光が導光シート（220）の一側の境界線から導光シート（220）の内部に流入され、この光が導光シート（220）の前側と後側に放出される。このとき、導光シート（220）の後側に放出される光は、反射シート（230）に反射されて導光シート（220）の前側に放出誘導される。これにより、導光シート（220）の前側に放出される光の照度が向上する。
【００７６】
導光シート（220）の前側に放出される光は、拡散シート（210）を通過しながら、全体的に均等に広がって拡散されることで、眩しさが防止される。
【００７７】
また、バックカバー（240）は、反射シート（230）の後側に配置されて、光が導光シート（220）の前側に集中放出されるように不透明材料からなる。つまり、LED素子（420）から照射される光が導光シート（220）の一側の境界線から導光シート（220）の内部に流入され、この光が導光シート（220）の前側と後側に放出される。このとき、導光シート（220）の後側に放出される光の一部は、反射シート（230）に反射されて導光シート（220）の前側に放出誘導されるが、残りの光は反射シート（230）の後側に放出される。反射シート（230）の後側に放出される光は、バックカバー（240）に反射されて反射シート（230）の前側と導光シート（220）の前側発散された後、拡散シート（210）を介して均等に放出され、室内を照明することになる。
【００７８】
特に、拡散シート（210）、導光シート（220）、反射シート（230）、及びバックカバー（240）の大きさと数は限定されない。
【００７９】
一方、導光シート（220）は、LED素子（420）から直接光を流入することにより、熱が発生する。前側は拡散シート（210）に接着されるので、熱が蓄積され、後側は反射シート（230）と接着されるので、熱が蓄積され、その熱が放出されない状態になる。
【００８０】
これを防止するためには、導光シート（220）は、前側面と後面にエンボスドルブ（222）を突出形成する。ここで、導光シート（220）の後側に突出されているエンボスドルブ（222）は、反射シート（230）との接触面積を最小限に抑え、反射シート（230）を保護し、外部の空気の流れがスムーズに約三角錐状に突出形成される。導光シート（220）の後側に突出されているエンボスドルブ（222）は、反射シート（230）との接触面積を最小化するさまざまな形状に適用可能であることは勿論である。
【００８１】
そして、導光シート（220）の前側面に突出されているエンボスドルブ（222）は、光が均等に広がり、拡散シート（210）に流入するように凸エンボス状に形成することができる。導光シート（220）の前側面に突出されているエンボスドルブ（222）は、光が均等に広がるように、様々な形状に適用可能であることは勿論である。
【００８２】
さらに、面照明パネル（200）を構成するように積層された拡散シート（210）、光シート（220）、反射シート（230）、及びバックカバー（240）は、同じ大きさで構成されて完全に重ねられるようガイドされる。このため、コーナーフレーム（370）のボディ（372）は、面照明パネル（200）の拡散シート（210）、導光シート（220）、反射シート（230）、及びバックカバー（240）の各頂点に対応するように並べ替えコーナー部材（371）を備える。並べ替えコーナー部材（371）は、拡散シート（210）、導光シート（220）、反射シート（230）、及びバックカバー（240）が完全に重ねられるよう案内する役割を担う。ソートコーナー部材（371）は、多様な形状に変形可能であることは勿論である。
【００８３】
また、面照明装置（100）の枠を構成するガイドフレーム（300）は、拡散シート（210）、導光シート（220）、反射シート（230）、及びバックカバー（240）の積層で構成されている面照明パネル（200）の端を収容することにより、これらを支持し、保護する。
【００８４】
特に、ガイドフレーム（300）は、本体（310）、挿入空間部（320）、サポートリブ（330）、及びプッシュストッパー（340）を含んでいる。
【００８５】
本体（310）は、ガイドフレーム（300）の外形を形成するものであって、面照明装置（100）の枠を形成することになる。本体（310）は、多様な形状に変形可能であることは勿論である。
【００８６】
そして、挿入空間部（320）は、本体（310）の内側に軸方向に沿って型生成される空間として、LEDモジュール（400）、絶縁ガイド部材（600）、または電源モジュール（500）をスライド挿入可能としている。特に、挿入空間部（320）は、LED素子（420）の光が導光シート（220）側に発散され、面照明パネル（200）側に開放されるように形成される。このとき、互換性が可能なように、照明ガイドフレーム（302）と電源ガイドフレーム（304）を同じ形状で製作することができる。
【００８７】
さらに、サポートリブ（330）は、面照明パネル（200）の端を収容するための収容溝部（332）を形成するように本体（310）に並んで延長形成される。これにより、サポートリブ（330）は、面照明パネル（200）の上側と下側を接して支持する。サポートリブ（330）は、多様な形状に変形可能であることは勿論である。そして、収容溝部（332）の深さは特に限定されない。
【００８８】
また、プッシュストッパー（340）は、サポートリブ（330）に突出して収容溝部（332）に収容された面照明パネル（200）を加圧する役割を担う。このとき、プッシュストッパー（340）は、対向するサポートリブ（330）の内側面それぞれに突出することもあり、いずれかのサポートリブ（330）に突出形成されることもある。プッシュストッパー（340）は、面照明パネル（200）をなす拡散シート（210）、導光シート（220）、反射シート（230）、及びバックカバー（240）が積層された状態を維持するように流出を防止する役割を担っている。プッシュストッパー（340）は、形状と数に限定されないことは勿論である。
【００８９】
そして、ガイドフレーム（300）は、収容溝部（332）とは別に区画されており、外部電源と電源モジュール（500）とを接続する電源ケーブル（10）を収容してソートするソート溝部（350）を形成することができる。並べ替え溝部（350）は、本体（310）に軸方向に沿って形成されている。
【００９０】
さらに、ガイドフレーム（300）は、ソート溝部（350）に配置された電源ケーブル（10）の揺動（揺れ）を防止し、低減させるためのガイドリブ（360）を備えることができる。このとき、ガイドリブ（360）は、本体（310）の後面の一部が切開されて整列溝部（350）の内側に曲げられるように延長されて、電源ケーブル（10）を配置することができる。ガイドリブ（360）の数と形状は限定されない。
【００９１】
図１１は、本発明の他の実施形態に係る電源内蔵面照明装置の要部拡大断面図であり、図１２は、本発明の他の実施形態に係る面照明パネルの照明状態を示す正面図である。
【００９２】
図１１、図１２を参照すると、本発明の他の実施形態に係る電源内蔵式の面照明装置（100）は、面照明パネル（200）、ガイドフレーム（300）、LEDモジュール（400）、電源モジュール（500）、及び絶縁ガイド部材（600）を含んでいる。
【００９３】
ガイドフレーム（300）、LEDモジュール（400）、電源モジュール（500）、及び絶縁ガイド部材（600）は、上述したものと取り替える。
【００９４】
そして、上述したように、面照明パネル（200）は、拡散シート（210）、光シート（220）、反射シート（230）、及びバックカバー（240）で構成されている。
【００９５】
特に、導光シート（220）は、枠から内側を通過しながら前側全体に放出される光のうち、特定の部位での照度（照度）がより明るく、又はより暗く処理されるように後側にパターン形成部（224）を備えることができる。
【００９６】
LED素子（420）から照射される光が導光シート（220）の内側に入射された光が透過される過程で、後側に形成された半透明のパターン形成部（224）に衝突して反射された後、パターン形成部（224）に対応する前側の特定の領域に放出することになる。これにより、導光シート（220）は、パターン形成部（224）が形成された位置から放出される光がパターン形成部（224）を形成していない場所から放出される光よりも明るく輝く。
【００９７】
逆に、導光シート（220）は、後側に特定の領域のみのパターン形成部（224）を形成していないことで、その領域を介して、光がパターン形成部（224）を形成した領域よりも相対的に暗く設定されている。
【００９８】
これにより、導光シート（220）は、パターン形成部（224）の形成領域に応じて発光される光の照度（照度）を異なるものとすることにより、広告効果や視認性を確保することができる。
【００９９】
このとき、パターン形成部（224）は、文字、模様、又はユーザーが希望する軌跡に沿って配置される。
【０１００】
このとき、パターン形成部（224）は、導光シート（220）の後側にレーザー照射をすることにより、その部位が半透明になる。
【０１０１】
パターン形成部（224）は、文字、絵、模様、及びパターンのうちの少なくともいずれか一つまたはこれらの組み合わせなど、様々な形状に形成することができることは勿論である。
【０１０２】
説明が省略された図面の符号は、上述したものと置き換えて解釈する。
【０１０３】
本発明は、図面に示された実施形態を参考にして説明されたが、これは例示的なものに過ぎず、当該技術が属する分野における通常の知識を有する者であれば、このことから様々な変形及び均等な他の実施形態が実現可能であることを理解するだろう。したがって、本発明の真の技術的な保護範囲は、以下の特許請求の範囲の記載によって定めなければならないだろう。
【符号の説明】
【０１０４】
100  面照明装置
200  面照明パネル
210  拡散シート
220  導光シート
222  エンボスドルブ
230  反射シート
240  バックカバー
300  ガイドフレーム
302  ライトガイドフレーム
304  電源ガイドフレーム
310  本体
320  挿入空間部
330  サポートリブ
340  プッシュストッパー
350  ソート溝部
360  ガイドリブ
370  コーナーフレーム
372  ボディ
374  第１レッグ
376  第２レッグ
400  LEDモジュール
500  電源モジュール
600  絶縁ガイド部材
【図１】
2017076598.tif 000003
【図２】
2017076598.tif 000004
【図３】
2017076598.tif 000005
【図４】
2017076598.tif 000006
【図５】
2017076598.tif 000007
【図６】
2017076598.tif 000008
【図７】
2017076598.tif 000009
【図８】
2017076598.tif 000010
【図９】
2017076598.tif 000011
【図１０】
2017076598.tif 000012
【図１１】
2017076598.tif 000013
【図１２】
2017076598.tif 000014
【手続補正書】
【提出日】平成28年8月12日(2016.8.12)
【手続補正１】
【補正対象書類名】特許請求の範囲
【補正対象項目名】全文
【補正方法】変更
【補正の内容】
【特許請求の範囲】
【請求項１】
枠側から入射される光を全面より均等に放出する面照明パネルと、
前記面照明パネルの端の一部を収容して支持するように、前記面照明パネルの端軌道に沿って複数の利用されているガイドフレームと、
複数のガイドフレームの内側に装着され、前記面照明パネル側に光を照射して光にLED素子を有するLEDモジュールと、
複数のガイドフレームの内側に装着され、前記LEDモジュールに電源を供給する電源モジュールと、
前記ガイドフレームから前記LEDモジュールまたは前記電源モジュールを保護し、絶縁が可能なように、前記LEDモジュールまたは前記電源モジュールを挿入したまま、そのガイドフレームに装着される絶縁ガイド部材と、を含み、
上記のガイドフレームは、平面上の多角形の軌跡に配置され、
上記のLEDモジュールと上記の電源モジュールは、同一平面上に配置された異なるガイドフレームにスライド挿入され、通電ケーブルに接続されており、
隣接するガイドフレームはコーナーフレームによって接続されており、
上記コーナーフレームは、一つ以上が積層されて構成されている上記面照明パネルの各コーナーポイントに対応するように配置され、上記面照明パネルを位置整列するために整列コーナー部材を備え、隣接するガイドフレームを組み立てて固定し、上記通電ケーブルを外部から見えないように整列案内し、
上記の絶縁ガイド部材は、チューブの形状に構成されて変形され、上記LEDモジュールまたは上記電源モジュールを強引に挿入することにより、固定する
ことを特徴とする電源内蔵式の面照明装置。
【請求項２】
前記ガイドフレームは、
本体と、
前記本体の内側に、前記LEDモジュール、前記絶縁ガイド部材又は前記電源モジュールをスライド挿入可能なように形成され、前記面照明パネル側に開放されている挿入空間部と、
前記面照明パネルの端を収容するために収容溝部を形成し、前記面照明パネルの上側と下側を接して支持するように前記本体から並んで延長されているサポートリブと、
前記サポートリブに突出して、前記面照明パネルを加圧することにより、流動防止するプッシュストッパーと、を含む
ことを特徴とする請求項４又は請求項５に記載の電源内蔵型面照明装置。
【請求項３】
上記のガイドフレームは、上記の収容溝とは別に区画されて、外部電源と上記の電源モジュールを接続する電源ケーブルを収容して整列する整列溝を形成することを特徴とする請求項２に記載の電源内蔵型面照明装置。
【請求項４】
上記のガイドフレームは、上記の整列溝に整列された上記の電源ケーブルの揺れを防止し、低減させるためのガイドリブを備えることを特徴とする請求項３に記載の電源内蔵型面照明装置。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
枠側から入射される光をある一つの面の全面より均等に放出する面照明パネルと、
前記面照明パネルの端の一部を収容して支持するように、前記面照明パネルの端軌道に沿って複数の利用されているガイドフレームと、
複数のガイドフレームの内側に装着され、前記面照明パネル側に光を照射するLED素子を有するLEDモジュールと、
複数のガイドフレームの内側に装着され、前記LEDモジュールに電源を供給する電源モジュールと、
前記ガイドフレームから前記LEDモジュールまたは前記電源モジュールを保護し、絶縁が可能なように、前記LEDモジュールまたは前記電源モジュールを挿入したまま、そのガイドフレームに装着される絶縁ガイド部材と、を含み、
上記のガイドフレームは、平面上の多角形の軌跡に配置され、
上記のLEDモジュールと上記の電源モジュールは、同一平面上に配置された異なるガイドフレームにスライド挿入され、通電ケーブルに接続されており、
隣接するガイドフレームはコーナーフレームによって接続されており、
上記コーナーフレームは、一つ以上が積層されて構成されている上記面照明パネルの各コーナーポイントに対応するように配置され、上記面照明パネルを位置整列するために整列コーナー部材を備え、隣接するガイドフレームを組み立てて固定し、上記通電ケーブルを外部から見えないように整列案内し、
上記の絶縁ガイド部材は、チューブの形状に構成され、上記ガイドフレームの内側にて変形され、抑止挿入することで固定する
ことを特徴とする電源内蔵式の面照明装置。
【請求項２】
前記ガイドフレームは、
本体と、
前記本体の内側に、前記LEDモジュール、前記絶縁ガイド部材又は前記電源モジュールをスライド挿入可能なように形成され、前記面照明パネル側に開放されている挿入空間部と、
前記面照明パネルの端を収容するために収容溝部を形成し、前記面照明パネルの上側と下側を接して支持するように前記本体から並んで延長されているサポートリブと、
前記サポートリブに突出して、前記面照明パネルを加圧することにより、流動防止するプッシュストッパーと、を含む
ことを特徴とする請求項１に記載の電源内蔵型面照明装置。
【請求項３】
上記のガイドフレームは、上記の収容溝とは別に区画されて、外部電源と上記の電源モジュールを接続する電源ケーブルを収容して整列する整列溝を形成することを特徴とする請求項２に記載の電源内蔵型面照明装置。
【請求項４】
上記のガイドフレームは、上記の整列溝に整列された上記の電源ケーブルの揺れを防止し、低減させるためのガイドリブを備えることを特徴とする請求項３に記載の電源内蔵型面照明装置。